(57)【要約】１ｘＲＴＴ及び１ｘＥＶＤＶ両方の通信を提供するＣＤＭＡ通信システムの移動局（１２）または基地送受信局（１８）といった通信局のＲＬＰ論理層（３８）の動作を制御する装置及び関連する方法であって、ＲＬＰ論理層（３８）での既存のデータ・サービス・オプションを変更しＲＬＰ動作を容易にする。
2005522965.tif 000002
【特許請求の範囲】
【請求項１】
データを移動局にブロードキャストするよう少なくとも選択式に動作可能な無線通信システムにおいて、階層的マルチメディア・サービスに準拠したデータのブロードキャストの実行を容易にする改良された装置であって、データがデータ・タイプによって規定され各データ・タイプがデータ特性によって規定され、前記装置が、
前記階層的マルチメディア・サービスに準拠して伝送されるデータのデータ部分の少なくともデータ・タイプとそのデータ特性との表示を受信するよう結合されたブロードキャスト・サービス・メッセージ生成器であって、該ブロードキャスト・サービス・メッセージ生成器がブロードキャスト・サービス・メッセージを生成し、該ブロードキャスト・サービス・メッセージが、前記データ・タイプを表す値で満たされた第１のフィールドと、データ特性を表す値で満たされた第２のフィールドとを有するブロードキャスト・サービス・メッセージ生成器を備える装置。
【請求項２】
前記無線通信システムが、前記移動局をページングするページング・チャネルを規定し、前記ブロードキャスト・サービス・メッセージ生成器によって生成された前記ブロードキャスト・サービス・メッセージが該ページング・チャネル上で該移動局に送信される、請求項１に記載の装置。
【請求項３】
前記無線通信システムが、論理層によって規定され、該論理層は物理層と少なくとも１つの上位層とを含み、前記ブロードキャスト・サービス・メッセージ生成器が該上位層で実現される、請求項１に記載の装置。
【請求項４】
前記少なくとも１つの上位層がリンク層を備え、前記ブロードキャスト・サービス・メッセージ生成器が該リンク層で実現される、請求項３に記載の装置。
【請求項５】
前記無線通信システムが無線ネットワーク制御装置を有するネットワーク・インフラストラクチャを備え、前記ブロードキャスト・サービス・メッセージ生成器が該無線ネットワーク制御装置で実現される、請求項１に記載の装置。
【請求項６】
前記データを規定する前記データ・タイプが、第１のデータ・タイプと、第２のデータ・タイプと、少なくとも第３のデータ・タイプとを備え、前記第１のフィールドが、少なくとも該データが該第１のデータ・タイプと、該第２のデータ・タイプと、該第３のデータ・タイプのうちの１つであることを識別する十分な大きさのフィールド長を有する、請求項１に記載の装置。
【請求項７】
前記無線通信システムが、一般に、ＢＳＲ＿ＩＤ値を規定するＣＤＭＡ２０００動作仕様に準拠して動作可能なセルラ通信システムを備え、前記ブロードキャスト・サービス・メッセージ生成器によって生成された前記ブロードキャスト・サービス・メッセージの前記第１のフィールドを満たす値がＢＳＲ＿ＩＤ値を備える、請求項６に記載の装置。
【請求項８】
少なくとも第１のＢＳＲ＿ＩＤ値を規定する前記データ特性が、第１のデータ特性値と少なくとも第２のデータ特性値のうちの１つである、請求項７に記載の装置。
【請求項９】
前記データ・タイプの中の少なくとも第１のデータ・タイプを規定する前記データ特性が規定され、前記ブロードキャスト・サービス・メッセージ生成器によって形成される前記ブロードキャスト・サービス・メッセージの前記第２のフィールドに満たされる該データ特性の値は、第１のデータ特性値と少なくとも第２のデータ特性値のうちの１つである、請求項１に記載の装置。
【請求項１０】
前記第１のデータ特性値が第１の品質レベルのデータを表し、前記第２のデータ特性値が第２の品質レベルのデータを表す、請求項９に記載の装置。
【請求項１１】
前記データを規定する前記データ・タイプがビデオ・データと、無線データと、テキスト・データとを含み、該データ・タイプを規定する前記データ特性が低品質レベルと、中品質レベルと、高品質レベルとを含み、ブロードキャスト・サービス・メッセージが、各データ特性が関連するデータ・タイプの層構成要素レベルを規定し、前記ブロードキャスト・サービス・メッセージ生成器によって生成される該ブロードキャスト・サービス・メッセージがデータ・タイプとそれに関連する層構成要素を識別する、請求項１に記載の装置。
【請求項１２】
前記無線通信システムがさらに、ＰＤＶ（パケット・データ・ユニット）が形成されるＭＡＣ（媒体アクセス制御）層を規定し、前記ブロードキャスト・サービス・メッセージ生成器によって形成され該ＰＤＶに埋め込まれた前記ブロードキャスト・サービス・メッセージの前記データ・タイプと前記データ特性との値がそれぞれ前記第１のフィールドと前記第２のフィールドとに満たされる、請求項１１に記載の装置。
【請求項１３】
データを移動局にブロードキャストするよう少なくとも選択式に動作可能な無線通信システムでの通信方法において、階層的マルチメディア・サービスに準拠したデータのブロードキャストの実行を容易にする改良された該方法であって、該データがデータ・タイプによって規定され各データ・タイプがデータ特性によって規定される該方法が、
第１のフィールドと第２のフィールドとを含むようフォーマット化されたブロードキャスト・サービス・メッセージを形成するステップと、
階層的マルチメディア・サービスに準拠して伝送される前記データのデータ部分の前記データ・タイプを表す値で該ブロードキャスト・サービス・メッセージの該第１のフィールドを満たすステップと、
該第１のフィールドで識別された該データ・タイプの該データのデータ部分の該データ特性を表す値で該ブロードキャスト・サービス・メッセージの該第２のフィールドを満たすステップとを有する方法。
【請求項１４】
ページング・チャネル上で前記ブロードキャスト・サービス・メッセージを移動局にブロードキャストするステップをさらに有する、請求項１３に記載の方法。
【請求項１５】
前記移動局において、前記ブロードキャスト・サービス・メッセージに関連するデータ部分で選択式に動作するステップをさらに有する、請求項１３に記載の方法。
【請求項１６】
前記選択式に動作するステップの前に、少なくとも１つのファクタに応答して、前記データ部分で動作するかどうかを選択するステップをさらに含む、請求項１５に記載の方法。
【発明の詳細な説明】
【技術分野】
【０００１】
（関連出願の相互参照）
本出願は、２００２年４月１５日出願の仮特許出願第６０／３７２，５２８号の優先権を主張する。
【０００２】
本発明は、一般に、高速データ・サービスを提供するＣＤＭＡ２０００セルラ通信システムで動作可能な移動局または無線基地局といった通信局でのＲＬＰ（無線リンク・プロトコル）動作を変更する方法に関する。さらに詳しく言うと、本発明は、第１のデータ方式に準拠して形成された１ｘＥＶ−ＤＶデータのような高速データに対して動作し、かつ第２のデータ方式に準拠して形成された１ｘＲＴＴデータのような高速データに対して動作するよう、通信局でのＲＬＰ層の動作を選択式に制御する装置及び関連する方法に関する。
【０００３】
ＲＬＰ手順は、例えば無線通信システムの物理層で１ｘＥＶ−ＤＶデータ通信をサポートするよう変更される。スケジューリング効率が改良され、データ転送スループット性能が改良される。
【背景技術】
【０００４】
通信システムは２つかそれ以上のロケーション間でのデータの通信を提供する。データの通信は多くの様々な種類の通信サービスを実現するために必要である。こうした通信サービスの実現に対する要求と需要は現代社会に固有の一部である。
【０００５】
通信システムは、少なくとも、通信チャネルによって接続された第１の通信局と第２の通信局とを含む。少なくとも一方の通信局は送信局を形成し、他方の通信局は受信局を形成する。データは検出される通信チャネル上で送信局によって伝送され、受信局によって受信される。データはまず送信局で、通信チャネル上での伝送を可能にする形式に変換する。そして、受信局は逆の動作を行い、伝送されたデータの情報内容を回復する。
【０００６】
無線通信システムは、通信局間にわたる無線リンク上で規定される通信チャネルを使用する通信システムの一種である。無線リンクは電磁スペクトルの一部で規定される。それと対照的に、有線通信システムは一般に、通信チャネルを形成しデータの通信を可能にする通信局間の固定接続、すなわち有線接続を必要とする。
【０００７】
無線通信システムは、対応する有線通信システムと比較して様々な利点を提供する。無線通信システムの物理的インフラは一般に、対応する有線通信システムのものより比較的安価に設置できる。従って、無線通信システムの設置導入費用は一般に、対応する有線通信システムのものより低い。そして、無線通信システムは、移動無線通信システムの形態で通信の移動性を提供する移動通信システムとして実現するのに適している。
【０００８】
セルラ通信システムは移動無線通信システムの一種である。セルラ通信システムは、世界の多くの人口集中地域を包含するよう開発導入された。無線通信は、通信システムのネットワーク部分と、セルラ通信システムが包含する地理的範囲内に配置可能な移動局との間でのセルラ通信システムの動作期間中に実行される。
【０００９】
セルラ通信システムのネットワーク部分は、システムが包含する地理的範囲全体にわたって間隔の離れた場所に設置される基地送受信局を含む。各基地送受信局はセルを規定するが、これは通信システムが包含する範囲の地理的下位部分である。基地送受信局はネットワークの追加構成要素を通じて、ＰＳＴＮ（公衆交換電話網）またはインターネットといった外部ネットワークに接続される。
【００１０】
移動局がある特定の無線基地局によって規定されたセル内にある時、その移動局による、またはその移動局に対する通信は一般に、そのセルを規定した無線基地局が実行する。しかし、移動局の固有の移動性のため、移動局は初めの無線基地局が規定したセルから出て別の無線基地局が規定したセルに移動することがある。移動局との通信の継続を可能にするため通信のハンドオーバを実行する。
【００１１】
セルラ通信システムは、他の様々な通信システムと同様、適切な動作仕様に記載の動作パラメータに準拠するよう構成する。動作仕様は、ＥＩＡ／ＴＩＡのような標準策定団体が発表する。セルラ通信システムについて、様々な動作仕様が発表されている。動作仕様は、様々な種類の通信技術と、進歩した通信技術が利用可能になる都度それを利用する相次ぐ世代のシステムとに関連して発表されている。対応する相次ぐ世代のセルラ通信ネットワークが広い範囲全体にわたって設置され、その範囲での電話及び通信の実行を可能にしている。
【００１２】
最初に実現されたセルラ通信システムを一般に第１世代システムと呼ぶ。第１世代システムは一般にアナログ通信技術を利用する。第２世代セルラ通信システムは一般にデジタル通信技術を利用する。第３世代セルラ通信システムは標準化手続きと初期導入を行っている最中である。また、次世代システムも開発中である。第３世代及び次世代システムはやはりデジタル通信技術を利用してさらに高いデータ・レートでのデータ通信を提供する。
【００１３】
典型的な第３世代通信システムの動作パラメータは、ＣＤＭＡ２０００動作仕様と呼ばれる動作仕様に記載されている。ＣＤＭＡ２０００動作仕様に記載の動作パラメータはパケット・ベースのデータ通信サービスを規定する。データ通信サービスは高いデータ・レートで実行される。
【００１４】
ＣＤＭＡ２０００準拠の通信システムのために規定された第１のデータ通信方式を１ｘＲＴＴと呼ぶ。１ｘＲＴＴ通信方式に準拠して規定された動作パラメータに準拠してフォーマット化されたデータは、フレーム・サイズ、フレーム期間、データ・レート、通信の共有／専用チャネル、及び他の固有の動作パラメータを規定する。
【００１５】
ＣＤＭＡ２０００準拠の通信システムのために規定されたもう１つのデータ通信方式を１ｘＥＶ−ＤＶと呼ぶ。１ｘＥＶ−ＤＶ通信方式に準拠して規定された動作パラメータに準拠してフォーマット化されたデータもやはりフレーム・サイズ、フレーム期間、データ・レート、及び他の固有の動作パラメータを規定する。特に、１ｘＥＶ−ＤＶ方式の動作パラメータの中には１ｘＲＴＴ方式の対応するパラメータと異なるものがある。１ｘＥＶ−ＤＶをサポートするには、１ｘＲＴＴデータ通信を提供するシステムでの既存のデータ・サービス・オプションを変更する必要がある。
【００１６】
無線リンク・プロトコル（ＲＬＰ）は、ＣＤＭＡ２０００データ・サービス及びアプリケーションを可能にするプロトコルである。しかし、ＲＬＰは、基礎となる技術がＣＤＭＡ２０００  １ｘＥＶ−ＤＶデータ通信の方向に発展する際固有の制限を示している。ＲＬＰの制限は、主に、物理層の進歩によるものである。例えば、１ｘＥＶ−ＤＶでは物理層のフレーム長が変更されている。１ｘＥＶ−ＤＶでは、共有のいわゆる「パイプを太くする（fat a pipe）」パケット・データ・チャネルを利用する。１ｘＥＶ−ＤＶでは、高速データと他の制御情報とを共有チャネルに多重化することが可能である。１ｘＥＶ−ＤＶ通信方式は順方向パケット・データ・チャネル（Ｆ−ＰＤＣＨ）を規定する。１ｘＥＶ−ＤＶに準拠して伝送されるデータのデータ・フレーム長は、選択式に、１．２５ｍｓスロットの１、２、または４倍である。
【００１７】
それと対照的に、Ｆ−ＰＤＣＨを含む、すなわち規定する前は、物理層で使用されるフレーム・サイズはＮ×２０ｍｓ、Ｎ＝１、２、または４という単位である。
【００１８】
可能なフレーム・サイズの比較によって示されるように、１ｘＥＶ−ＤＶ通信方式で指定される物理層の時間間隔はより細分性（granularity）の高いものになる。このことは、上位層のスケジューリング機能と、さらには、このような高速データ・サービスを提供する通信システムの通信局、すなわち移動局及び基地局でのＲＬＰの動作に影響を与える。
【００１９】
現在のＣＤＭＡ２０００  １ｘＲＴＴ  ＲＬＰフレーム・フォーマットは、ＲＬＰフレームがファンジケーテッド（fundicated）（基本）または補助チャネル上でだけ送信されるという想定のもとに規定されている。こうしたチャネルは２０ｍｓフレーム・ベースのチャネルである。ＲＬＰは、コネクション型でありかつＮＡＫ（否定応答）ベースのデータ配信プロトコルである。既存のＲＬＰ３規定では、データ転送手順は送信及び受信手順のための２０ｍｓの時間間隔に基づいており、２０ｍｓフレームのチャネル構造に対応する。換言すれば、送信または受信ＲＬＰは、２０ミリ秒毎に一度、同期した形で、ＲＬＰデータ・フレームの送信または受信、または制御フレームの処理を行う。
【００２０】
さらに、全てのＲＬＰタイミング及びタイマ関連機能も２０ｍｓベースであって、例えば、ＮＡＫ処理及びその関連タイマ、アイドル・フレーム送信及びその関連時間等は全て２０ｍｓの時間間隔に基づいている。既存のＣＤＭＡ２０００  １ｘＲＴＴ  ＲＬＰ仕様と２０ｍｓタイミング基準との間に本質的な関連があることは、ＣＤＭＡ２０００  １ｘＥＶ−ＤＶ通信を最適に機能させる上で問題となる。
【００２１】
従って、１ｘＥＶ−ＤＶの高い細分性、すなわち１．２５ｍｓという物理層の長さのため、ＲＬＰに関して様々な問題が生じる。
【００２２】
ＲＬＰ層で、異なるタイミング基準を示す異なる通信方式間の互換性を提供する方法が提供できれば、１ｘＥＶ−ＤＶデータ通信の通信性能を改良することが可能であろう。
【００２３】
セルラ通信システムにおけるデータ通信に関連するこの背景情報を考慮して、本発明の重要な改良がなされた。
【発明の開示】
【発明が解決しようとする課題】
【００２４】
すなわち、本発明は、有益にも、高速データ・サービスを提供するＣＤＭＡ２０００セルラ通信システムで動作可能な基地局または無線基地局といった通信局でのＲＬＰ（無線リンク・プロトコル）動作を変更する装置及び関連する方法とを提供する。
【００２５】
本発明の実施例の動作を通じて、通信局でＲＬＰ層の動作を制御する方法を提供する。通信局は選択式に、第１のデータ方式に準拠して形成された、１ｘＥＶ−ＤＶデータのような高速データに対して動作し、かつ第２のデータ方式に準拠して形成された、１ｘＲＴＴデータのような高速データに対して動作する。
【００２６】
スケジューリング効率が改善され、データ転送スループット性能も改良される。通信局でのＲＬＰ手順は、１ｘＲＴＴデータ通信と共に１ｘＥＶ−ＤＶデータ通信をサポートするよう変更される。
【課題を解決するための手段】
【００２７】
本発明の１つの態様では、通信局のＲＬＰ層で２つのモードのＲＬＰ動作を提供する。異なるモードで、１ｘＲＴＴ方式と１ｘＥＶ−ＤＶ方式との間のフレーム・サイズ及びチャネル構造の差が調整される。第１のモードはスロット・モードを形成し、第２のモードはフレーム・モードを形成する。これらのモードはやはり選択式に同時動作可能である。２０ｍｓフレームの小数部を形成するスロットの１．２５ミリ秒の長さを利用する。スロット・モードで動作する場合、ＲＬＰ層データ動作をタイムスロット・ベースで、例えば１．２５ｍｓ毎に一度実行する。さらに、フレーム・モードでも、またスロット・モードでも、追加のＲＬＰ層の動作を実行する。往復遅延計算及びアイドル時間制御といった、高い細分性を必要としない動作に対してＲＬＰがスロット・モードで動作する場合、動作は２０ｍｓ間隔で実行する。
【００２８】
本発明の別の態様では、１ｘＥＶ−ＤＶ通信方式に準拠して規定されたＦ−ＰＤＣＨ（順方向パケット・データ・チャネル）上でＲＬＰフォーマット・フレームを伝送する方式を提供する。フレームとＭｕｘＰＤＵタイプ５をカプセル化することによって、ＲＬＰフォーマットＡフレームとＲＬＰフォーマットＢフレームをＦ−ＰＤＣＨ上で伝送する。ＲＬＰフォーマットＣフレームとＲＬＰフォーマットＤフレームもＦ−ＰＤＣＨ上で伝送する。フォーマットＣフレームは、Ｆ−ＰＤＣＨ上で通信するため１ｘＥＶ−ＤＶで規定されたエンコーダ・パケット・ユニット・サイズ内で伝送可能である予測可能な一定のサイズとして処理し計算される。また、フォーマットＤフレームもＦ−ＰＤＣＨエンコーダ・パケットのエンコーダ・パケット・サイズによってフォーマット化する。
【００２９】
本発明の別の態様では、多重化層によって提供されるＲＬＰフレームをＦ−ＰＤＣＨデータ・ブロックとインタフェースする方法を提供する。順方向パケット・データ・チャネルを使用する場合、ＲＬＰフレームはＦ−ＰＤＣＨデータ・ブロックでだけ伝送される。すなわち、順方向パケット・データ・チャネルがサポートされ使用される場合、たとえ１ｘＲＴＴファンジケーテッドまたは補助チャネルがサービス中またそうでなければ使用可能であっても、通信サービスの実行によるＲＬＰトラフィックは順方向パケット・データ・チャネルによって伝送される。
【００３０】
従って、既存のＲＬＰ３手順が強化され、順方向パケット・データ・チャネル上での通信をサポートするフレーム・フォーマットが提供される。混合モードのＲＬＰ動作が提供され、ＲＬＰフレーム・フォーマットは１ｘＥＶ−ＤＶ通信に準拠して規定された順方向パケット・データ・チャネル上での通信を可能にするように警報が出され、ＲＬＰインスタンスは順方向パケット・データ・チャネルのデータ・ブロックによって多重化層とインタフェースする。
【００３１】
すなわち、これらと他の態様では、無線通信システムのための装置と関連する方法を提供する。この無線通信システムはデータを伝送する少なくとも第１の通信局を有する。データは選択式に、第１のデータ長及び第２のデータ長の選択された倍数である。第１のデータ長は第２のデータ長の小数部分である。データは少なくとも第１の通信局のＲＬＰ（無線リンク・プロトコル）論理層で動作し、選択式に第１のデータ長及び第２のデータ長の選択された倍数である。ＲＬＰ（無線リンク・プロトコル）制御装置は、データが形成されるのが少なくとも第１のデータ長と第２のデータ長のどちらの選択された倍数かの表示を受信するようになっている。制御装置は、データが形成される第１のデータ長及び第２のデータ長の少なくとも１つに対応する間隔のデータに対して、ＲＬＰ論理層での時間ベースのデータ動作を制御する。
【００３２】
本発明とその範囲は、以下に簡潔に要約されている添付の図面、本発明の現在好適な実施例の以下の説明、及び添付の請求項からさらに完全に理解できる。
【発明を実施するための最良の形態】
【００３３】
まず図１を参照すると、一般に１０として示す無線通信システムは移動局との無線通信を実行するが、ここでは移動局について、１つの代表的な移動局を図示する。この典型的な実現例では、無線通信システムはセルラ通信システムを形成する。セルラ通信システムは、一般にＣＤＭＡ２０００動作仕様に記載の動作パラメータに準拠して動作する。
【００３４】
また、特に、このＣＤＭＡ２０００システムはさらに、１ｘＲＴＴ通信方式及び１ｘＥＶ−ＤＶ通信方式に準拠して生成される高データ・レート通信サービスを提供する。
【００３５】
以下の説明は、一般にＣＤＭＡ動作仕様に準拠して動作し、１ｘＲＴＴ及び１ｘＥＶ−ＤＶデータ通信を提供するセルラ通信システムにおける実現について本発明の実施例の動作を説明するが、本発明の教示は様々な他の種類の通信システムの何れかにおいても実現可能である。
【００３６】
移動局１２は、移動局と通信システムのネットワーク部分との間に形成される無線エア・インタフェース上で規定される無線チャネルによって通信を行う。矢印１４は、無線エア・インタフェース上で規定される無線チャネルを表す。全て通信システムが準拠して動作するよう構成された動作仕様の規定に従い、様々なチャネル特性の様々なチャネルが規定される。通信システムのネットワーク部分から送出されたデータが移動局に伝送される順方向リンク・チャネルが規定される。また、移動局から送出されたデータをネットワーク部分に伝送する逆方向リンク・チャネルが規定される。
【００３７】
ネットワーク部分の様々な構成要素を図示する。基地送受信局１８はネットワーク部分の一部を形成する。基地送受信局は、送信部と受信部とから形成され、無線エア・インタフェース上で規定された無線チャネル上で伝送される無線信号を変換できる送受信回路を含む。基地送受信局は、ここでは無線ネットワーク制御装置（ＲＮＣ）２２である制御装置に結合される。無線ネットワーク制御装置は、とりわけ、基地送受信局の動作を制御するよう動作する。一方、無線ネットワーク制御装置は無線ゲートウェイ（ＧＷＹ）２４に結合される。
【００３８】
このゲートウェイは、ここではパケット・データ・ネットワーク（ＰＤＮ）２８によって表される通信ネットワークとのゲートウェイを形成する。パケット・データ・ネットワークは、例えば、インターネット・バックボーンを形成する。対応するエンティティ（ＣＥ）３４はネットワーク２８に結合される。対応するエンティティは、データの出所または終点となる何らかのデータ・ソースまたはデータ・シンクを表す。
【００３９】
前に言及したように、１ｘＲＴＴと１ｘＥＶ−ＤＶではデータ・フォーマットが異なっている。１ｘＲＴＴフォーマットは２０ミリ秒のフレーム長に基づいているが、１ｘＥＶ−ＤＶフォーマットは１．２５ｍｓスロットに基づいている。基地送受信局と移動局とは各々、本発明の実施例の、一般に３８として示す装置を含む。装置３８は、ＲＬＰ論理層で、１ｘＥＶ−ＤＶ通信サービスの適切な動作と１ｘＲＴＴ通信サービスに準拠したデータのフォーマット化とを容易にする制御機構の動作を助ける。
【００４０】
装置３８はＲＬＰ論理層制御装置４２とリフォーマッタ４４とを含む。ＲＬＰ制御装置４２は、ＲＬＰ論理層で装置を実現する通信局の制御動作を行う。また、リフォーマッタ４４は、選択式にデータをリフォーマットし、１ｘＥＶ−ＤＶ通信サービスに準拠して規定された順方向パケット・データ・チャネル上での通信を可能にするよう動作する。
【００４１】
図２は、図１に示す通信システムの移動局１２または基地送受信局１８といった通信局の論理層の構成を示す。ここで、論理層の構成は、ＯＳＩ層３−７部分５２、ＯＳＩ層２部分５４、及びＯＳＩ層１部分５６という３つの部分に分割される。
【００４２】
部分５２は、ここでは上位層シグナリング５８、データ・サービス６２及び音声サービス６４として示す上位層を表す。データ・サービス６２は１ｘＲＴＴ及び１ｘＥＶ−ＤＶデータの両方を表す。
【００４３】
層５４はＬＡＣ副層６６とＭＡＣ副層６８とを含む。また、図示するように、ＭＡＣ副層では、ＲＬＰ６９、ＳＲＢＰ、及び多重化及びＱＯＳ配信機能７０が実行される。また、部分５４では、ブロック７２で示すＦ−ＰＤＣＨ制御機能が提供される。
【００４４】
部分５６は、ここでは７４で表わされる物理層から形成される。
【００４５】
図３は、本発明の実施例の装置３８（図１に示す）の一部を形成する制御装置４２を示す。制御装置は、機器が実現される通信局が、ここではブロック８２として示すＲＬＰスロット・モードか、または少なくとも、ここではブロック８４として示すフレーム・モード及びスロット・モードかで選択式に動作できるようにする。制御装置４２が実行する制御機能をブロック８６に示す。また、制御機能に従って、スイッチ８８、９２、９４、及び９６として示す機能スイッチングを実行する。ここでも、ＭＡＣ副層６８の多重化機能７０を図示する。また、１ｘＲＴＴ及び１ｘＥＶ−ＤＶ両方のデータを表すデータ・サービス機能６２をここでも図示する。
【００４６】
制御装置の制御機能８６の動作は、通信局がどのモードで動作するかを決定する。異なる動作モードは、ＣＤＭＡ２０００  １ｘＲＴＴ及びＣＤＭＡ２０００１ｘＥＶ−ＤＶのデータ間で規定されるフレーム・サイズとチャネル構成の差を調整する。ブロック８４で示すように、２つのモードは選択されれば同時に動作可能である。システムのタイミング基準に応じて、スロットとフレームは、データ・スロットがフレームの部分集合であり、フレームがスロットの倍数単位であるような形で規定する。
【００４７】
順方向パケット・データ・チャネル、Ｆ−ＰＤＣＨ、がサポートされ割り当てられる場合、装置の動作性は１．２５ミリ秒間隔でのデータ転送手順を処理できるものでなければならない。
【００４８】
図４は、１ｘＥＶ−ＤＶ動作で利用される１．２５ｍｓタイムスロットと、１ｘＲＴＴ動作で利用される２０ｍｓフレームとの間の関係を表す、一般に１０２で表わされるタイミング図を示す。タイムスロットを１０４で示し、フレームを１０６で示す。フレームの持続期間は２０ｍｓであるので、各フレームで１６のタイムスロット１０４が形成される。各タイムスロット期間中にスロット規定による動作を行い、各フレーム期間中にフレーム規定による動作を行う。ＲＬＰ手順は結合されて２モードの動作となる。
【００４９】
通信局がスロット・モードで動作する場合、ＲＬＰは各タイムスロット期間中に様々な動作を行う。すなわち、関連する通信局の受信部分と共に動作する場合、ＲＬＰは、受信したＲＬＰフレームに対して復号、検証及び処理動作を行う。Ｆ−ＰＤＣＨがサポートされている場合、ＲＬＰはスロット毎に受信したフレームを処理する。関連する通信局の送信部分と共に使用される場合、ＲＬＰフレームの符号化、生成、及び送信をスロット毎に行う。多重化機能７０によって問い合わされる場合、ＲＬＰはデータまたは制御フレームを生成し、それらを多重化機能に供給する。さらに、同一の再送信されるフレームは通常同じ１．２５ｍｓのタイムスロットでは供給しない。配信の信頼性を向上するため、欠落フレームに応答してＮＡＫ（否定応答）要求を送信する場合、複数のＮＡＫを送信する。ＲＬＰ受信機がフレーム・エラーのため再送信されたコピーを失う可能性を最小化するため、同一の再送信データ・フレームは好適には同じ１．２５ｍｓタイムスロット期間中には供給しない。
【００５０】
ブロック８４で示すように、フレーム／スロット・モードで動作する場合、ＲＬＰは、今スロット・モード動作について説明したものに追加される機能を実行する。２０ｍｓの各フレーム期間中に、ＲＬＰは必要な場合、ピアＲＬＰ間の往復遅延計算を行う。往復遅延計算は再送信タイマの設定に使用するため、高い細分性を有する必要はない。また、タイマは少なくとも、例えば往復遅延時間より１００ｍｓ以上大きいので、スロット・レベルでの往復遅延時間の精度は必要ない。また、両方のデータ・トラフィック方向、例えば移動局内の現行の逆方向リンクは１．２５ｍｓスロットをサポートできないが、２０ｍｓタイマ手順は両方向のデータ・フローについてより簡単で一致している。また、各フレーム期間中に、アイドル・タイマ制御も実行する。アイドル・フレームは、受信機が最後の送信データ・フレームを確認するように、データ送信の終了時に送信される。アイドル・フレーム送信のタイミングは、往復遅延のタイミングに関連する。すなわち、このタイマは、往復遅延タイマと同様にデクリメントする。フレーム・モードの動作は処理を減らせるという利益を提供する。各タイムスロット期間中に動作を行う代わりに、ＲＬＰは１６タイムスロット毎に一度だけ、タイマ手順を実行する。移動局に実装する場合、処理が減るため電池電力も節約される。
【００５１】
リフォーマッタ４４（図１に図示する）は、１ｘＥＶ−ＤＶに準拠して規定されたＦ−ＰＤＣＨ上での通信でＲＬＰフレーム・フォーマットをサポートする方式を提供する。ファンジケーテッドな制御またはデータ・フレームを伝達するため、ＲＬＰフォーマットＡ及びＢフレームを使用する。また、補助データ・フレームのためＲＬＰフォーマットＣ及びＤフレームを使用する。様々なＲＬＰフレームをリフォーマットまたはそうでなければＦ−ＰＤＣＨバイト境界フレームに適合させる。フォーマットＡ及びフォーマットＢフレームは、ＭｕｘＰＤＵタイプ５フレームにカプセル化することが可能なＭｕｘＰＤＵタイプ１及び２フレームである。また、リフォーマッタ４４は、Ｆ−ＰＤＣＨ上でフォーマットＣ及びフォーマットＤタイプのＲＬＰフレームの伝送を可能にするように動作する。
【００５２】
フォーマットＣフレームは固定サイズの補助チャネル（ＳＣＨ）上で使用する。また、同じデータ・フレームを使用してＦ−ＰＤＣＨエンコーダ・パケットを送信する。Ｆ−ＰＤＣＨサブパケット送信のためのエンコーダ・パケット・ユニット・サイズは３８４ビットまたはその倍数である。これにより、データは、以下の表に示すように、予測可能な固定サイズのものとして処理され、パディングなしでオクテット境界内に配置できる。パケット・ユニット・サイズが３８４ビットである場合、フォーマットＣデータ・フレームは以下のように規定される。
【表１】
2005522965.tif 000003
ここでＴＹＰＥとはフレーム・タイプである。ＴＹＰＥフィールドは新しいデータ・フレームに対しては「１０」に設定し、送信済みフレームに対しては「１１」に設定する。ＳＥＱは、データ・フレームのシーケンス番号の最下位８ビットを含むフィールドである。また、Ｄａｔａはデータ・オクテットを指す。このフィールドの長さは３６８ビット（４８オクテット）である。これは３８４ビットからＭｕｘＰＤＵヘッダの６ビットとフォーマットＣヘッダの１０ビットを引いたものである。
【００５３】
以下の表は、他のＦ−ＰＤＣＨエンコーダ・パケット・サイズのためのデータ・フィールドの長さを示す。
【表２】
2005522965.tif 000004
【００５４】
ＲＬＰフォーマットＤフレームもＦ−ＰＤＣＨ上で伝送される。フォーマットＤフレームは可変長フレームである。Ｆ−ＰＤＣＨが使用するＭｕｘＰＤＵタイプ５は長さ表示を有しているため、フレーム中の長さフィールドは必要ない。Ｆ−ＰＤＣＨにおけるフォーマットＤフレームは以下の表に示すように規定される。ビット単位のデータ長は、Ｆ−ＰＤＣＨエンコーダ・パケットの基本ブロック・サイズである。他のエンコーダ・パケット・サイズは３８４ビットの倍数である。
【表３】
2005522965.tif 000005
Ｔｙｐｅ              フレーム・タイプ
ＳＥＱ                このフィールドはデータ・フレームのシーケンス番号の最下位８                      ビットを含む。
ＳＳＰ                Ｓ＿ＳＥＱ存在表示。Ｓ＿ＳＥＱが存在する場合「１」に設定す                      る。そうでない場合「０」に設定する。
ＳＱ１                ＳＥＱ８／１２ビット表示。「０」という値はＳＥＱ＿ＨＩが省                      略されていることを示す。「１」という値はＳＥＱ＿ＨＩが含ま                      れることを示す。
ＬＳＡＴ＿ＳＥＱ      最終セグメント表示。このビットはセグメント化された再送信の                      最終セグメントを示すため「１」に設定する。そうでない場合「                      ０」に設定する。
ＲＥＸＭＩＴ          再送信フレーム表示。フレームが再送信データ・フレームまたは                      セグメントである場合、このビットは「１」に設定する。そうで                      ない場合「０」に設定する。
ＳＥＱ＿ＨＩ          このフィールドはＬ＿ＳＥＱの最上位４ビットを含む。ＳＱ１が                      「１」に設定される場合このフィールドが含まれる。
Ｓ＿ＳＥＱ            フレームのこのセグメント中の最初のバイトの１２ビット・オク                      テット・シーケンス番号（フレームの開始から数えた）。
Ｐａｄｄｉｎｇ＿１    ＳＥＱフィールドの開始に関連するデータ・フィールドのオクテ                      ット整合のために必要なパディング・ビット。これらのビットは                      「０」に設定する。
Ｄａｔａ              データ・オクテット。データ・オクテットの数はＬＥＮフィール                      ドによって指定するか、または多重化オプション０ｘｆ２０に対                      しては、多重化副層によって指定する。
Ｐａｄｄｉｎｇ＿２    パディング・ビット。フレームの余りを埋めるため必要になる。                      これらのビットは「０」に設定する。
【００５５】
他のＦ−ＰＤＣＨエンコーダ・パケット・サイズに対しては、データ・フィールドの長さは以下の表に記載の通りである。この表はＳＥＱ＿ＨＩもＳ＿ＳＥＱフィールドも存在しないことを想定している。
【表４】
2005522965.tif 000006
【００５６】
Ｆ−ＰＤＣＨデータ・ブロックで伝送される多重化層７０に供給される全てのＲＬＰフレームをＦ−ＰＤＣＨ  ＲＬＰフレームと呼ぶ。ＭＡＣ層は、全ての既存のＭｕｘＰＤＵタイプをカプセル化してＭｕｘＰＤＵタイプ５内で伝送することを可能にするので、本発明の実施例の動作によっても、Ｆ−ＰＤＣＨが利用される時はいつでも、ＲＬＰフレームはＦ−ＰＤＣＨデータ・ブロックだけで伝送可能となる。すなわち、Ｆ−ＰＤＣＨチャネルがサポートされ使用される場合、たとえレガシー・チャネルがサービス中であっても、元来１ｘＲＴＴファンジケーテッドまたは補助チャネル上で伝送されるデータ・サービス用のＲＬＰトラフィックは、代わりにＦ−ＰＤＣＨ上で伝送される。さらに、ＲＬＰデータ・フレームとＲＬＰ制御フレームの両方である全てのＲＬＰフレームは、データ・インスタンスのためにＦ−ＰＤＣＨが利用されている時だけはいつでも、Ｆ−ＰＤＣＨによって伝送される。
【００５７】
図５は、異なるチャネルとのインタフェースと共に、典型的なサービス・インスタンスを示す。ここで、３８４ビットのエンコーダ・パケットに含まれる全てのＲＬＰ制御及びデータ・フレームは連結されており、ＮＡＫ制御フレームを至急送信する必要があり、別のＭｕｘＰＤＵタイプ１データ・フレームが同じＦ−ＰＤＣＨエンコーダ・パケットで送信される場合、ＲＬＰ制御フレームは最も高い優先順位を有する。
【００５８】
ブロック１２２は回線または回線状のサービスを表し、ブロック１２４はパケット・データ・サービスを表す。ブロック１２４によって表されるＲＬＰインスタンスは、ここでは１２６として示すＦ−ＰＤＣＨを使用してトラフィックを伝送する。ファンジケーテッド・データ・フレームは、ブロック１２４によって示すＲＬＰインスタンスによって生成されず、またブロック１２８によって示すファンジケーテッド・チャネル上で伝送されない。補助チャネルをブロック１３２によって示す。また、ブロック１２２によって示すＲＬＰインスタンスがチャネル１２８及び１３２上で伝送されることが示される。ＲＬＰ制御フレームとＲＬＰデータ・フレームの両方をＦ−ＰＤＣＨに加えて混合することによる利益が提供される。例えば、このような動作はＲＬＰ制御フレームを伝送するためにファンジケーテッド・チャネルを使用することへの依存を軽減する。また、単純化が提供される。すなわち、ＲＬＰ送信機でのＲＬＰ送信手順が単純化される。この手順では、例えば、タイミング基準とフレーム長が異なる２０ｍｓのファンジケーテッド・チャネルと１．２５ｍｓのＦ−ＰＤＣＨといった異なるチャネルのスケジューリングを同時に行う必要がない。
【００５９】
これまでの説明は本発明を実現する好適な例のものであり、本発明の範囲は必ずしもこの説明によって制限されるものではない。本発明の範囲は請求項によって規定される。
【図面の簡単な説明】
【００６０】
【図１】本発明の実施例を具体化する典型的無線通信システムの機能ブロック図を示す図である。
【図２】１ｘＥＶ−ＤＶデータ通信を規定するＣＤＭＡ２０００通信方式で規定され、それについて図１に示す典型的無線通信システムが形成される論理層アーキテクチャの機能ブロック図を示す図である。
【図３】図１に示す通信システムの一部の第１の部分機能ブロック、部分論理図を示す図である。
【図４】本発明の実施例が許容する様々なモードの動作期間中、本発明の実施例を形成する装置が行う動作のタイミングを表すタイミング図を示す図である。
【図５】本発明の実施例に準拠した順方向パケット・データ・チャネルによってＲＬＰフォーマット・データを伝送するサービス・インスタンスを含む２つのサービス・インスタンスを示す図である。
【図１】
2005522965.tif 000007
【図２】
2005522965.tif 000008
【図３】
2005522965.tif 000009
【図４】
2005522965.tif 000010
【図５】
2005522965.tif 000011
【国際調査報告】
2005522965.tif 000012